(57)【要約】      （修正有） 【課題】観光地などの産物である世界に一つだけの貝殻を使用することができるアクセサリーを提供する。【解決手段】天然素材の貝殻の一部に引掛け部を設け、貝殻の外表面にアクリル或いはニトロセルロースの合成樹脂を着色した有機溶剤を塗布する。【選択図】図１
0003180594.tif 000002
【実用新案登録請求の範囲】
【請求項１】
天然素材の貝殻の一部に引掛け部を設け、前記貝殻の外表面にアクリル或いはニトロセルロースの合成樹脂を着色した有機溶剤を塗布したことを特徴とする貝殻を使用したアクセサリー。
【請求項２】
前記有機溶剤には、好みに色に着色する色素と合成パール系色素或いはラメ原料を混合して光沢を得るようにしたことを特徴とする請求項１に記載の貝殻を使用したアクセサリー。
【請求項３】
前記有機溶剤の光沢として、好みに色に着色する色素に魚鱗粉を混合したことを特徴とする請求項１に記載の貝殻を使用したアクセサリー。
【考案の詳細な説明】
【技術分野】
【０００１】
本考案は天然素材（自然）の貝殻を使用したストラップ或いはキーホルダー、ペンダント等のアクセサリーに関する。
【背景技術】
【０００２】
一般的にアクセサリーの一種であるストラップ或いはキーホルダー、ペンダントと呼ばれるものは、その紐や鎖の先端にキャラクター、レプリカ、マスコットなどの好みのものを吊り下げている。中でも有名な観光地や遊園地などではその地域での産物或いはそれを模したレプリカやキャラクターと組み合わせたグッズを吊り下げ紐などに吊り下げたものがみられる。（特許文献１）
特に、観光地などの産物はその観光地でなければ入手できないような限定品が多く販売されている。その産物について、特に自然なものにあっては、例えば、同じ観光地で取れた貝殻であっても大きさ、形状、色、質（硬軟）などが異なり機械的に製造された所謂量産品と全く同じものがなく貴重な一品である。このことは購入者が世界に一つだけの産物を持ったという恰も宝物を手に入れたような気分になり優越感にも似たものが得られる。
【０００３】
このような購入者の心理を取り入れて観光地の産物である石や貝などに孔を開け、それに紐や金属リングを取り付けたものが商品化されている。その貝の一種であるサザエの一部の蓋部に紐を通してペンダントにしたものが特許文献で提案された。（特許文献２）
そして、上記したような貝殻等の産物は基本的にその素材の持つ大きさ、形状、色合い、硬さ具合を自然のままに活かし、それに付属させる他のグッズ、例えば小さいカードやプレートに観光地などの表記を行っている。
【先行技術文献】
【特許文献】
【０００４】
【特許文献１】特開２００９−２８５２１号公報
【特許文献２】実用新案登録第３０８４８８０号
【考案の概要】
【考案が解決しようとする課題】
【０００５】
一方、前述のように、特に購入者が世界に一つだけの産物を持ったという恰も宝物を手に入れたような気分になるものの、実際には、例えば貝殻の場合、いたや貝、ムール貝（ともに二枚貝）、まて貝、など種類が決まっていることからペンダントして使用している貝殻を少し離れた位置から見たときには第三者から前述した世界に一つだけのものとして見てもらえないという不安感がある。
【０００６】
このことは、いくら世界に一つだけの産物である貝殻であったとしても同種の貝は数多くあり、第三者から希少価値のある貝殻として認識してもらえないことには満足感が得られず金銭を払って購入する魅力がなくなる。
【０００７】
そこで本考案は、このような満足感が得られないという不安を解消し、世界に一つだけの産物として着目した貝殻の場合であって、第三者が少々離れた位置から目視した場合に目線が自ずと貝殻に視線が向けられて注目を浴び、希少価値のある貝殻のアクセサリーを持っているという満足感に浸ることができるようにしたものである。
【課題を解決するための手段】
【０００８】
本考案は、天然素材の貝殻の一部に引掛け部を設け、前記貝殻の外表面にアクリル或いはニトロセルロースの合成樹脂を着色した有機溶剤を塗布したことを特徴とする貝殻を使用したものである。
【０００９】
本考案は、前記有機溶剤に、好みに色に着色する色素と合成パール系色素或いはラメ原料を混合して光沢を得るようにしたものである。
【００１０】
本考案は、前記有機溶剤には、好みに色に着色する色素と合成パール系色素或いはラメ原料を混合して光沢を得るようにしたものである。
【００１１】
前記有機溶剤の光沢として、好みに色に着色する色素に魚鱗粉を混合したものである。
【考案の効果】
【００１２】
本考案は、天然素材の貝殻の一部に引掛け部を設け、前記貝殻の外表面にアクリル或いはニトロセルロースの合成樹脂を着色した有機溶剤を塗布したものであるから、観光地などの産物である世界に一つだけの貝殻をアクセサリーとして使用することができる。
【００１３】
特に、貝殻の外表面にアクリル或いはニトロセルロースの合成樹脂を着色した有機溶剤により、少々離れた遠くからでも第三者の目をその貝殻の存在に向けさせることができ、そこでその貝殻が特異なものであることの認識を植え付け使用者の満足感が得られることになる。
【００１４】
また、前記有機溶剤に、好みに色に着色する色素と合成パール系色素或いはラメ原料を混合して光沢を得るようにしたものであるから、有機溶剤を塗った貝殻が鮮やかに光を反射し、より一層に第三者の目を引き付けることができる。
【００１５】
さらに、前記有機溶剤の光沢として、好みに色に着色する色素に魚鱗粉を混合したものであるから、光が魚鱗粉に当たれば輝いて華麗さと煌びやかさを与え、購入意欲を駆り立てるとともに世界に一つだけの産物である貝殻の存在感のアピールを効果的に行うことができる。
【図面の簡単な説明】
【００１６】
【図１】本考案の貝殻（二枚貝）を使用したアクセサリー（ストラップ）の正面図である。
【図２】同じく貝殻を図１と異なる方向から見た場合の側面図である。
【図３】同じく図１及び図２とは異なる形状の貝殻（巻貝）を使用した正面図である。貝殻の有機溶剤を塗った貝殻の正面拡大図である。
【考案を実施するための形態】
【００１７】
以下、本考案の実施例を図面に基づいて説明する。図１は本考案の貝殻を使用したアクセサリーの一種であるストラップの正面図であり、前記貝殻として二枚貝を例示している。
【００１８】
図２は貝殻のみを図１と異なる方向から見た場合の側面図である。図３は図１及び図２とは異なる形状の貝殻を使用した正面図であり、前記貝殻として巻貝を例示している。
【００１９】
１は例えば観光地等で入手した産物（以下、貝殻という）であり、図１では所謂二枚貝の種別であるムール貝を示しており、基本形状はムール貝の分野では同じであるが大きさ、形状、柄などは他のムール貝とは微妙に異なる。
【００２０】
この貝殻１は、二枚貝の貝板２Ａ，２Ｂを割り開き、その向かい合う端縁の一部（上部）に切欠き３を形成し、当該切欠きにループ状の紐４よりなる引掛け部５を設け、該引掛け部には上部に吊り下げ紐６を取り付けたストラップ７を掛止している。
【００２１】
前記貝殻１の外表面には、アクリル或いはニトロセルロースの合成樹脂を着色した有機溶剤を塗布８したものである。この塗布により塗料と同様に無数の色を作り出すことができる。
【００２２】
さらに、前記した有機溶剤には、好みに色に着色する色素と合成パール系色素或いはラメ原料を混合することにより、鮮やかな光沢とキラキラと輝き注目度を得ることができる。
【００２３】
前記有機溶剤にパールやの光沢として、好みに色に着色する色素に、例えばタチウオの体表面の成分の魚鱗粉９・・を混合すれば、有機溶剤を塗布８した貝殻１の表面に魚鱗粉９・・が付着し、それにより光沢と多様な質感が出せる。
【００２４】
なお、二枚貝の場合は、割り開きをした際に、それぞれの端縁の一部（上部）を数ミリ程度に切欠き、一方の貝板２Ａの切欠きに紐４の抜け止め用結び目（図示せず）を嵌め込んだ状態でその結び目に他方の貝板２Ｂの切欠きを嵌め込み、それぞれの貝板２Ａ、２Ｂの端縁を接着剤により接着する。
【００２５】
図２は図１に示した貝殻１に切欠き３を形成した状態の側面図であり、この図では切欠き３に紐４を取り付けていない。
【００２６】
図３は１枚貝（巻貝）の貝殻１１を使用した正面図である。この貝殻は外壁に天然の無数のイボ１１・・を有している。この貝殻１０に設ける切欠き３は、前記貝殻の上部にドリルなどで孔を開けて形成している。この切欠き３には紐４を嵌め込んで強力な接着剤により固着する。
【００２７】
図３に例示した巻貝の貝殻１０の外表面にアクリル或いはニトロセルロースの合成樹脂を着色した有機溶剤を塗布８した場合には、イボ１１・・と有機溶剤や魚鱗粉が貝殻の内側にも入り込んで塗布されるため、より変化に富んだ外壁形状との調和がとれ、外光が直接あたる外表面での明るい輝きと外光が薄暗く貝殻の内側に入り込んだ鈍い輝きとの変化のある反射と煌めきがより個性的なアクセサリーとして価値観を高めることができる。
【産業上の利用可能性】
【００２８】
本考案は、自然の貝殻を使用したアクセサリーとして、ストラップ或いはキーホルダー、ペンダントを例示したが、ブローチであってもよく、ベルトやバッグ、財布などの身の回り品に取り付けるものにも利用できる。
【符号の説明】
【００２９】
１、１０    貝殻
２Ａ、２Ｂ  貝板
３  切欠き
４  紐
５  引掛け部
６  吊り下げ紐
７  ストラップ
８  塗布
９  魚鱗粉
１１  イボ
【図１】
0003180594.tif 000003
【図２】
0003180594.tif 000004
【図３】
0003180594.tif 000005